(57)【要約】【課題】給湯機の初期設定等の際に手間がかからない給湯機を提供する。【解決手段】給湯機本体１と各リモコン２，３を有する給湯機Ｂは、音声送受信部２２，３２と通信送受信部１１，２１，３１と信号制御部１３，２３，３３を備える。音声送受信部２２，３２は各リモコン２，３間で音声信号搬送波Ｃ３による音声通信を行う。通信送受信部１１，２１，３１は、音声信号搬送波Ｃ３から離れた周波数Ｆ１の第１搬送波Ｃ１又は音声信号搬送波Ｃ３に近い周波数Ｆ２の第２搬送波Ｃ２によるデータ通信を行う。信号制御部１３，２３，３３は、音声通信無し期間では給湯機本体１と各リモコン２，３間で第２搬送波Ｃ２によるデータ通信を行い、音声通信有り期間では、給湯機本体１と各リモコン２，３間でデータ通信を第２搬送波Ｃ２から第１搬送波Ｃ１に切り替えて行うとともに、各リモコン２，３間で音声信号搬送波Ｃ３による音声通信を行うように制御する。【選択図】図２
2015070440.tif 000002
【特許請求の範囲】
【請求項１】
給湯機本体と、伝送路を介して前記給湯機本体を遠隔操作する第１リモートコントローラと第２リモートコントローラと、を備える給湯機であって、
前記第１リモートコントローラと第２リモートコントローラとの間において所定の周波数帯域の音声信号搬送波による音声通信を行う音声通信手段と、
前記給湯機本体と前記第１リモートコントローラ及び第２リモートコントローラとの間において搬送波によりデータ通信を行うデータ通信手段と、
前記データ通信に用いる搬送波を、前記音声信号搬送波の周波数帯域から離れた周波数の第１搬送波と、前記音声信号搬送波の周波数帯域内の周波数の第２搬送波と、に相互に切り替え可能な搬送波切り替え部と、
前記音声通信手段による音声通信の開始と終了を検出する開始終了検出手段と、
前記開始終了検出手段で終了検出されてから開始検出されるまでの音声通信無し期間では前記給湯機本体と前記第１リモートコントローラ及び第２リモートコントローラとの間で前記第２搬送波によるデータ通信を行い、前記開始終了検出手段で開始検出されてから終了検出されるまでの音声通信有り期間では、前記給湯機本体と前記第１リモートコントローラ及び第２リモートコントローラとの間におけるデータ通信を前記第２搬送波から前記第１搬送波に切り替えて行うとともに、前記第１リモートコントローラと第２リモートコントローラとの間において前記音声信号搬送波による音声通信を行うように制御する制御手段と、
を備えることを特徴とする給湯機。
【請求項２】
前記第２搬送波は、前記第１搬送波よりも高く且つ前記音声信号搬送波の周波数帯域内の周波数であることを特徴とする請求項１に記載の給湯機。
【請求項３】
前記第１リモートコントローラ及び第２リモートコントローラ以外の増設リモートコントローラが前記伝送路に接続され、
前記音声通信手段は、前記音声信号搬送波の周波数帯域が前記第１リモートコントローラ、第２リモートコントローラ、増設リモートコントローラ毎に異なり且つ通話方向毎にも異なるように設定している、
ことを特徴とする請求項１又は２に記載の給湯機。
【請求項４】
前記第１リモートコントローラ、第２リモートコントローラ、増設リモートコントローラは、使用者により通話先のリモートコントローラの指示を受ける通話先指示部を備え、
前記音声通信手段は、前記第１リモートコントローラ、第２リモートコントローラ、増設リモートコントローラのうちで指定元のリモートコントローラと前記通話先指示部により指定された指定先のリモートコントローラとの間で音声通信を行う、
ことを特徴とする請求項３に記載の給湯機。
【請求項５】
前記開始終了検出手段は、音声を検知する音声検知部であり、
前記制御手段は、前記音声検知部の音声検知に基づいて、前記第１搬送波に切り替えるように前記搬送波切り替え部を制御し、前記第１搬送波によるデータ通信と前記音声信号搬送波による音声通信を行うように制御する、
ことを特徴とする請求項１乃至４の何れか一項に記載の給湯機。
【請求項６】
前記給湯機本体とは別に増設された単数又は複数の追加給湯機器と、
前記給湯機本体と前記追加給湯機器とを接続する、前記伝送路とは別の専用線と、
を備える、
ことを特徴とする請求項１乃至５の何れか一項に記載の給湯機。
【請求項７】
前記給湯機本体とは別に追加された単数又は複数の追加給湯機器が前記伝送路に接続されている、
ことを特徴とする請求項１乃至５の何れか一項記載の給湯機。
【発明の詳細な説明】
【技術分野】
【０００１】
本発明は、給湯機本体とリモートコントローラとを備える給湯機に関する。
【背景技術】
【０００２】
近年では、水を湯に沸き上げて貯える給湯機本体と、給湯機本体を遠隔操作する２台のリモートコントローラ（以下、適宜に「リモコン」と略称する）とを備える給湯機が提案されている。給湯機本体は室外に設置される。２台のリモコンは、室内の給湯先である浴室と台所とに設置される。各リモコンへの電源供給は、給湯機本体とリモコンとを繋ぐ電力線を介して給湯機本体から行われる。
【０００３】
給湯機本体と各リモコン間のデータ通信を、上記の電力線を利用して単一周波数の通信搬送波により行うものがある（特許文献１）。使用者がリモコンを入力操作し、その入力指令がリモコンから給湯機本体に電力線を介して送信され、給湯機本体がその指令に従って動作する。また、リモコンは、電力線を介して給湯機本体からの応答信号、情報を受信する。
【０００４】
また、特許文献１の給湯機は、浴室リモコンと台所リモコンにインターホン機能を備え、入浴中の事故等を考慮して、浴室・台所間で音声の送受話が可能である。リモコン間の送受話も、上記の電力線を利用して、混信を防止するために通話方向毎に異なる２つの周波数帯域の音声信号搬送波を用いて周波数変調（ＦＭ）方式により行われる。ＦＭ方式による音声信号搬送波の周波数は、音声信号電圧（音圧レベル）の大小によって上下に変移することから、送受話可能な最大音声（最大音圧レベル）と最小音声（最小音圧レベル）とを予め規定しておくことで、その周波数帯域が予め推定可能である。
【０００５】
給湯機本体・リモコン間でデータ通信するための通信搬送波の周波数と、リモコン間で送受話するための音声信号搬送波の周波数とが重なると、給湯機本体・リモコン間のデータ通信に悪影響が生じたり、リモコン間の送受話の再生音質が劣化したりする。このため、特許文献１の給湯機では、通信搬送波と音声信号搬送波の周波数が互いに重ならないように、音声信号搬送波の２つの周波数帯域間の空き狭帯域内に通信搬送波の周波数を設定している。
【先行技術文献】
【特許文献】
【０００６】
【特許文献１】特開２０１０−１０７７９号公報
【発明の概要】
【発明が解決しようとする課題】
【０００７】
しかしながら、リモコン筐体へのマイクの取り付けばらつき等により、音声信号搬送波の実際の周波数帯域が設計上の予測範囲から外れて通信搬送波の周波数と重なることがある。このため、特許文献１の給湯機では、給湯機の初期設定やリモコンを交換・追加する際に、周波数検出部により音声信号搬送波の実際の周波数を計測し、通信搬送波の周波数を、音声信号搬送波の実際の周波数帯域外の周波数に再設定している。
【０００８】
この際、給湯機の初期設定やリモコンを交換・追加する際に、周波数の計測と再設定が必要であり、手間がかかるという問題がある。
【０００９】
またその他に、設計や実使用、旧設備との互換性の関係等、やむを得ず音声信号搬送波の周波数帯と通信搬送波を同一にしなければならない場合がある。このような場合において、通信搬送波の周波数を目的の周波数帯域外の周波数に再設定してしまうと、通信速度が遅くなり、要求仕様が満たせなくなる事が考えられる。
【００１０】
本発明は、上記課題を解決するためになされたものであり、給湯機の初期設定やリモコンを交換・追加する際に手間がかからない給湯機を提供することを目的とする。
【課題を解決するための手段】
【００１１】
上記目的を達成するため、本発明に係る給湯機は、給湯機本体と、伝送路を介して給湯機本体を遠隔操作する第１リモートコントローラと第２リモートコントローラと、を有する給湯機であって、音声通信手段とデータ通信手段と搬送波切り替え部と開始終了検出手段と制御手段とを備える。音声通信手段は、第１リモートコントローラと第２リモートコントローラとの間において所定の周波数帯域の音声信号搬送波による音声通信を行う。データ通信手段は、給湯機本体と第１リモートコントローラ及び第２リモートコントローラとの間において搬送波によりデータ通信を行う。搬送波切り替え部は、データ通信に用いる搬送波を、音声信号搬送波の周波数帯域から離れた周波数の第１搬送波と、音声信号搬送波の周波数帯域内の周波数の第２搬送波と、に相互に切り替え可能である。開始終了検出手段は、音声通信手段による音声通信の開始と終了を検出する。制御手段は、開始終了検出手段で終了検出されてから開始検出されるまでの音声通信無し期間では給湯機本体と第１リモートコントローラ及び第２リモートコントローラとの間で第２搬送波によるデータ通信を行い、開始終了検出手段で開始検出されてから終了検出されるまでの音声通信有り期間では、給湯機本体と第１リモートコントローラ及び第２リモートコントローラとの間におけるデータ通信を第２搬送波から第１搬送波に切り替えて行うとともに、第１リモートコントローラと第２リモートコントローラとの間において音声信号搬送波による音声通信を行うように制御する。
【発明の効果】
【００１２】
本発明によれば、音声通信無し期間では、第２搬送波によるデータ通信のみが行われる。また、音声通信有り期間では、第２搬送波から第１搬送波に自動的に切り替えられ、互いに周波数が重ならない第１搬送波と音声信号搬送波とが同時に伝送路に乗る。つまり、互いに周波数が重なり得る第２搬送波と音声信号搬送波とが同時に伝送路に乗ることがないので、給湯機の初期設定やリモコンを交換・追加する際に、音声信号搬送波の実際の周波数を計測すること、音声信号搬送波の実際の周波数帯域外に第２搬送波を再設定することを不要にできる。よって、給湯機の初期設定やリモコンを交換・追加する際に手間がかからない。
【００１３】
また、通常、給湯機の使用者が音声通話を行う時間は、給湯機の稼働時間全体から考えて極めて短い時間であることから、この時間に関しては通信速度をあきらめて低速で通信を行い、それ以外の時間に関しては高速で通信を行う事で、条件付きながらも通信速度の要求仕様を満たすことができる。
【図面の簡単な説明】
【００１４】
【図１】本発明の実施の形態１に係る給湯機の構成を示すブロック図である。
【図２】台所リモートコントローラの構成を示すブロック図である。
【図３】浴室リモートコントローラの構成を示すブロック図である。
【図４】本発明の実施の形態１に係る給湯機の通信処理を示すフローチャートである。
【図５】（ａ）は音声通信無しで高速データ通信の場合における通信線上の周波数スペクトルを示す図、（ｂ）は音声通信有りで低速データ通信の場合における通信線上の周波数スペクトルを示す図である。
【図６】本発明の実施の形態２に係る給湯機の構成を示すブロック図である。
【図７】（ａ）は音声通信無しで高速データ通信の場合における通信線上の周波数スペクトルを示す図、（ｂ）は音声通信有りで低速データ通信の場合における通信線上の周波数スペクトルを示す図である。
【図８】本発明の実施の形態３に係る給湯機の構成を示すブロック図である。
【図９】本発明の実施の形態４に係る給湯機の構成を示すブロック図である。
【図１０】本発明の実施の形態５に係る給湯機の構成を示すブロック図である。
【発明を実施するための形態】
【００１５】
以下、本発明の実施の形態について図面を参照して詳細に説明する。
【００１６】
（実施の形態１）
本発明の実施の形態１に係る給湯機Ｂは、図１に示すように、水を湯に沸き上げて貯える給湯機本体１と、この給湯機本体１を遠隔操作する台所リモコン２，浴室リモコン３とを備える。給湯機本体１は室外に設置される。台所リモコン２と浴室リモコン３は、室内の給湯先である台所と浴室に設置される。給湯機本体１と台所リモコン２と浴室リモコン３は、各々通信線Ｌ１により接続される。
【００１７】
給湯機本体１と台所リモコン２，浴室リモコン３とは、後述する通信送受信部１１，２１，３１を各々備え、単一周波数の通信搬送波によるデータ通信が可能である。給湯機本体１のＯＮとＯＦＦ、湯温の設定などの使用者からの入力指示が台所リモコン２，浴室リモコン３から、通信線Ｌ１を介して給湯機本体１に出力される。給湯機本体１からの応答信号、情報を台所リモコン２，浴室リモコン３が受信する。
【００１８】
また、台所リモコン２，浴室リモコン３は、インターホン機能を有し、台所リモコン２と浴室リモコン３の間で音声の送受話が可能である。台所リモコン２，浴室リモコン３間の送受話は、通信線Ｌ１を通じて、混信を防止するために通話方向毎に異なる２つの周波数帯域Ｆ２３Ｂ，Ｆ３２Ｂの音声信号搬送波Ｃ３を用いて周波数変調（ＦＭ）方式により行われる。
【００１９】
ここで、給湯機本体１の構成について説明する。給湯機本体１は、図１に示すように、各リモコン２，３に対して単一周波数の通信搬送波によるデータ通信を行うデータ通信手段としての通信送受信部１１と、各リモコン２，３とのデータ通信を制御する制御手段としての信号制御部１３と、水を湯に沸き上げて貯えるヒートポンプ１４とを備える。
【００２０】
通信送受信部１１は、単一周波数Ｆ１の第１搬送波Ｃ１に情報信号を乗せた通信信号のみが通過可能な低速用フィルタ１１２と、周波数Ｆ１よりも例えば３倍程度高い単一周波数Ｆ２の第２搬送波Ｃ２に情報信号を乗せた通信信号のみが通過可能な高速用フィルタ１１３と、この両フィルタ１１２，１１３を切り替えるフィルタ切り替え部１１１とを備える。
【００２１】
フィルタ切り替え部１１１は、信号制御部１３の制御部１３６からの指示に従って低速用フィルタ１１２又は高速用フィルタ１１３の何れか一方を選択する。通信線Ｌ１を通じてフィルタ切り替え部１１１が受信した通信信号は、その選択されたフィルタに出力される。また、通信変調部１３２からの通信信号は、その選択されたフィルタを通過して、フィルタ切り替え部１１１から通信線Ｌ１に出力される。
【００２２】
信号制御部１３は、通信信号から元の情報信号を復元する通信復調部１３１と、通信搬送波に情報信号を乗せる通信変調部１３２と、通信搬送波としての第１，第２搬送波Ｃ２を切り替える搬送波切り替え部１３３と、ヒートポンプ１４の動作状態等の情報を記憶する記憶部１３５と、データ通信の制御とヒートポンプ１４の動作の制御とを行う制御部１３６とを備える。
【００２３】
通信復調部１３１は、低速用フィルタ１１２又は高速用フィルタ１１３を通過した通信信号から元の情報信号を復元するものである。
【００２４】
搬送波切り替え部１３３は、制御部１３６からの指示に従って、周波数Ｆ１の第１搬送波Ｃ１又は周波数Ｆ２の第２搬送波Ｃ２の何れかを単一周波数の通信搬送波として選択する。
【００２５】
通信変調部１３２は、制御部１３６で生成された情報信号を、搬送波切り替え部１３３により決定された第１搬送波Ｃ１又は第２搬送波Ｃ２に乗せた通信信号を生成する。つまり、第１搬送波Ｃ１又は第２搬送波Ｃ２を情報信号により例えば振幅変調（ＡＭ）方式で変調する。
【００２６】
制御部１３６は、フィルタ切り替え部１１１、通信復調部１３１、通信変調部１３２、搬送波切り替え部１３３、記憶部１３５、ヒートポンプ１４と接続されている。制御部１３６は、データ通信に際して、フィルタ切り替え部１１１、通信復調部１３１、通信変調部１３２、搬送波切り替え部１３３を制御する。
【００２７】
また、制御部１３６は、通信復調部１３１が通信信号から復元した情報信号に従ってヒートポンプ１４の動作を制御し、ヒートポンプ１４の動作状態等の情報を記憶部１３５に記憶させる。ヒートポンプ１４は、制御部１３６からの指令に従って、貯える湯量や温度を調節する。
【００２８】
記憶部１３５は、制御部１３６が取得した情報や、制御部１３６を実行させるプログラムやデータなどを記憶するメモリである。記憶部１３５には、給湯機本体１の動作状態、台所リモコン２の設定状態、浴室リモコン３の設定状態、ヒートポンプ１４の動作状態、フィルタ切り替え部１１１の現在のフィルタ、搬送波切り替え部１３３の現在の通信搬送波の周波数などの情報が記憶される。
【００２９】
次に、台所リモコン２の構成を、図２を用いて説明する。台所リモコン２は、図２に示すように、給湯機本体１に対して単一周波数の通信搬送波によるデータ通信を行うデータ通信手段としての通信送受信部２１と、浴室リモコン３と送受話する音声通信手段としての音声送受信部２２と、給湯機本体１，浴室リモコン３との通信を制御する制御手段としての信号制御部２３とを備える。
【００３０】
通信送受信部２１は、単一周波数Ｆ１の第１搬送波Ｃ１に情報信号を乗せた通信信号のみが通過可能な低速用フィルタ２１２と、周波数Ｆ１よりも例えば３倍程度高い単一周波数Ｆ２の第２搬送波Ｃ２に情報信号を乗せた通信信号のみが通過可能な高速用フィルタ２１３と、この両フィルタ２１２，２１３を切り替えるフィルタ切り替え部２１１とを備える。
【００３１】
フィルタ切り替え部２１１は、制御部２３６からの指示に従って低速用フィルタ２１２又は高速用フィルタ２１３の何れか一方を選択する。通信線Ｌ１を通じてフィルタ切り替え部２１１が受信した通信信号は、その選択されたフィルタに出力される。また、通信変調部２３２からの通信信号は、その選択されたフィルタを通過して、フィルタ切り替え部２１１から通信線Ｌ１に出力される。
【００３２】
信号制御部２３は、通信信号から元の情報信号を復元する通信復調部２３１と、通信搬送波に情報信号を乗せる通信変調部２３２と、通信搬送波としての第１，第２搬送波Ｃ２を切り替える搬送波切り替え部２３３と、使用者から音声通信の開始と終了の各入力指示を受ける音声通信指示部２３４（開始終了検出手段）と、給湯機本体１の動作状態等の情報を記憶する記憶部２３５と、データ通信の制御と音声通信の制御とを行う制御部２３６と、台所リモコン２を浴室リモコン３よりも優先とする指示が入力される優先指示部２３７とを備える。
【００３３】
通信復調部２３１は、低速用フィルタ２１２又は高速用フィルタ２１３を通過した通信信号から元の情報信号を復元するものである。
【００３４】
搬送波切り替え部２３３は、制御部２３６からの指示に従って、周波数Ｆ１の第１搬送波Ｃ１又は周波数Ｆ２の第２搬送波Ｃ２の何れかを単一周波数の通信搬送波として選択する。
【００３５】
通信変調部２３２は、制御部２３６で生成された情報信号を、搬送波切り替え部２３３により決定された第１搬送波Ｃ１又は第２搬送波Ｃ２に乗せた通信信号を生成する。つまり、第１搬送波Ｃ１又は第２搬送波Ｃ２を情報信号により例えば振幅変調（ＡＭ）方式で変調する。
【００３６】
制御部２３６は、データ通信に際して、フィルタ切り替え部２１１、通信復調部２３１、通信変調部２３２、搬送波切り替え部２３３を制御する。また、制御部２３６は、音声通信に際して、音声通信切り替え部２２１を制御する。制御部２３６は、使用者により優先指示部２３７に優先指示が入力されると、この台所リモコン２の制御部２３６が主導的に給湯機Ｂの通信処理を行う。
【００３７】
また、制御部２３６は、通信復調部２３１が通信信号から復元した情報信号に従って給湯機本体１の動作を取得し、給湯機本体１の動作状態を記憶部２３５に保存する。
【００３８】
記憶部２３５は、制御部２３６が取得した情報や、制御部２３６を実行させるプログラムやデータなどを記憶するメモリである。
【００３９】
音声通信指示部２３４は、台所リモコン２に配設された押しボタンスイッチ等の入力部である。使用者が音声通信指示部２３４のスイッチをＯＮにすると、音声通信の開始指示が音声通信指示部２３４から制御部２３６に出力される。制御部２３６は、その音声通信の開始指示に基づいて、フィルタ切り替え部２１１と音声通信切り替え部２２１と搬送波切り替え部２３３の切り替えを行う。また、使用者が音声通信指示部２３４のスイッチをＯＦＦにすると、音声通信の終了指示が音声通信指示部２３４から制御部２３６に出力される。制御部２３６は、その音声通信の終了指示に基づいて、フィルタ切り替え部２１１と音声通信切り替え部２２１と搬送波切り替え部２３３の切り替えを行う。
【００４０】
音声送受信部２２は、音声通話に切り替える音声通信切り替え部２２１と、音声通信信号のみが通過可能な音声フィルタ２２２と、音声通信信号から元の音声信号を復元する音声復調部２２３と、音声信号搬送波Ｃ３に音声信号を乗せる音声変調部２２４と、音声出力するスピーカ２２５と、音声が入力されるマイク２２６とを備える。
【００４１】
音声通信切り替え部２２１は、通信線Ｌ１、音声フィルタ２２２、制御部２３６と接続されている。音声通信切り替え部２２１は、通信線Ｌ１から送られてきた音声通信を受信し、音声フィルタ２２２に送信する。また、音声通信切り替え部２２１は、通信線Ｌ１から送られてきた音声通信を受信しない設定にすることも可能である。
【００４２】
音声フィルタ２２２は、音声信号搬送波Ｃ３を音声信号で周波数変調（ＦＭ）した音声通信信号を通すフィルタである。この音声信号搬送波Ｃ３は、通話方向毎に異なる２つの下側帯域Ｆ２３Ｂと上側帯域Ｆ３２Ｂを含む周波数帯域の搬送波としている。例えば、台所リモコン２から浴室リモコン３への音声通信信号についての音声信号搬送波Ｃ３の下側帯域Ｆ２３Ｂは、周波数Ｆ２よりも低く且つそれに近い帯域である。また、浴室リモコン３から台所リモコン２への音声通信信号についての音声信号搬送波Ｃ３の上側帯域Ｆ３２Ｂは、周波数Ｆ２よりも高くそれに近い帯域である。つまり、音声信号搬送波Ｃ３の周波数帯域内には、下側帯域Ｆ２３Ｂと、上側帯域Ｆ３２Ｂと、その間の周波数帯域と、下側帯域Ｆ２３Ｂの下側の周波数帯域と、上側帯域Ｆ３２Ｂの上側の周波数帯域とが含まれるため、周波数Ｆ２の第２搬送波Ｃ２も含まれる。
【００４３】
音声復調部２２３は、音声フィルタ２２２を通過したお音声通信信号から元の音声信号を復元するものであり、復元した音声信号をスピーカ２２５に出力する。
【００４４】
スピーカ２２５は、台所リモコン２に配設され、音声復調部２２３で復元された音声信号を音声として出力するものである。浴室リモコン３側の使用者の音声を台所リモコン２のスピーカ２２５から音声出力でき、台所リモコン２側の使用者に伝えることができる。
【００４５】
マイク２２６は、台所リモコン２に配設され、音声変調部２２４と接続されている。マイク２２６は、台所リモコン２側の使用者が発声した音声を音声変調部２２４に出力する。
【００４６】
音声変調部２２４は、台所リモコン２のマイク２２６に向けて使用者が発声した音声に対応する音声信号で下側帯域Ｆ２３Ｂの音声信号搬送波Ｃ３を変調した音声通信信号を音声フィルタ２２２に出力する。
【００４７】
次に、浴室リモコン３の構成を、図３を用いて説明する。浴室リモコン３は、図３に示すように、給湯機本体１に対して単一周波数の通信搬送波によるデータ通信を行うデータ通信手段としての通信送受信部３１と、台所リモコン２送受話する音声通信手段としての音声送受信部３２と、給湯機本体１，台所リモコン２との通信を制御する制御手段としての信号制御部３３とを備える。
【００４８】
通信送受信部３１は、単一周波数Ｆ１の第１搬送波Ｃ１に情報信号を乗せた通信信号のみが通過可能な低速用フィルタ３１２と、周波数Ｆ１よりも例えば３倍程度高い単一周波数Ｆ２の第２搬送波Ｃ２に情報信号を乗せた通信信号のみが通過可能な高速用フィルタ３１３と、この両フィルタ３１２，３１３を切り替えるフィルタ切り替え部３１１とを備える。
【００４９】
フィルタ切り替え部３１１は、制御部３３６からの指示に従って低速用フィルタ３１２又は高速用フィルタ３１３の何れか一方を選択する。通信線Ｌ１を通じてフィルタ切り替え部３１１が受信した通信信号は、その選択されたフィルタに出力される。また、通信変調部３３２からの通信信号は、その選択されたフィルタを通過して、フィルタ切り替え部３１１から通信線Ｌ１に出力される。
【００５０】
信号制御部３３は、通信信号から元の情報信号を復元する通信復調部３３１と、通信搬送波に情報信号を乗せる通信変調部３３２と、通信搬送波としての第１，第２搬送波Ｃ２を切り替える搬送波切り替え部３３３と、使用者から音声通信の開始と終了の各入力指示を受ける音声通信指示部３３４（開始終了検出手段）と、給湯機本体１の動作状態等の情報を記憶する記憶部３３５と、データ通信の制御と音声通信の制御とを行う制御部３３６と、浴室リモコン３を台所リモコン２よりも優先とする指示が入力される優先指示部３３７とを備える。
【００５１】
通信復調部３３１は、低速用フィルタ３１２又は高速用フィルタ３１３を通過した通信信号から元の情報信号を復元するものである。
【００５２】
搬送波切り替え部３３３は、制御部３３６からの指示に従って、周波数Ｆ１の第１搬送波Ｃ１又は周波数Ｆ２の第２搬送波Ｃ２の何れかを単一周波数の通信搬送波として選択する。
【００５３】
通信変調部３３２は、制御部３３６で生成された情報信号を、搬送波切り替え部３３３により決定された第１搬送波Ｃ１又は第２搬送波Ｃ２に乗せた通信信号を生成する。つまり、第１搬送波Ｃ１又は第２搬送波Ｃ２を情報信号により例えば振幅変調（ＡＭ）方式で変調する。
【００５４】
制御部３３６は、データ通信に際して、フィルタ切り替え部３１１、通信復調部３３１、通信変調部３３２、搬送波切り替え部３３３を制御する。また、制御部３３６は、音声通信に際して、音声通信切り替え部３２１を制御する。制御部３３６は、使用者により優先指示部３３７に優先指示が入力されると、この浴室リモコン３の制御部３３６が主導的に給湯機Ｂの通信処理を行う。
【００５５】
また、制御部３３６は、通信復調部３３１が通信信号から復元した情報信号に従って給湯機本体１の動作を取得し、給湯機本体１の動作状態を記憶部３３５に保存する。
【００５６】
記憶部３３５は、制御部３３６が取得した情報や、制御部３３６を実行させるプログラムやデータなどを記憶するメモリである。
【００５７】
音声通信指示部３３４は、浴室リモコン３に配設された押しボタンスイッチ等の入力部である。使用者が音声通信指示部３３４のスイッチをＯＮにすると、音声通信の開始指示が音声通信指示部３３４から制御部３３６に出力される。制御部３３６は、その音声通信の開始指示に基づいて、フィルタ切り替え部３１１と音声通信切り替え部３２１と搬送波切り替え部３３３の切り替えを行う。また、使用者が音声通信指示部３３４のスイッチをＯＦＦにすると、音声通信の終了指示が音声通信指示部３３４から制御部３３６に出力される。制御部３３６は、その音声通信の終了指示に基づいて、フィルタ切り替え部３１１と音声通信切り替え部３２１と搬送波切り替え部３３３の切り替えを行う。
【００５８】
音声送受信部３２は、音声通話に切り替える音声通信切り替え部３２１と、音声通信信号のみが通過可能な音声フィルタ３２２と、音声通信信号から元の音声信号を復元する音声復調部３２３と、上側帯域Ｆ３２Ｂの音声信号搬送波Ｃ３に音声信号を乗せる音声変調部３２４と、音声出力するスピーカ３２５と、音声が入力されるマイク３２６とを備える。
【００５９】
音声通信切り替え部３２１は、通信線Ｌ１、音声フィルタ３２２、制御部３３６と接続されている。音声通信切り替え部３２１は、通信線Ｌ１から送られてきた音声通信を受信し、音声フィルタ３２２に送信する。また、音声通信切り替え部３２１は、通信線Ｌ１から送られてきた音声通信を受信しない設定にすることも可能である。
【００６０】
音声フィルタ３２２は、音声信号搬送波Ｃ３を音声信号で周波数変調（ＦＭ）した音声通信信号を通すフィルタである。
【００６１】
音声復調部３２３は、音声フィルタ３２２を通過した音声通信信号から元の音声信号を復元するものであり、復元した音声信号をスピーカ３２５に出力する。
【００６２】
スピーカ３２５は、浴室リモコン３に配設され、音声復調部３２３で復元された音声信号を音声として出力するものである。台所リモコン２側の使用者の音声を浴室リモコン３のスピーカ３２５から音声出力でき、浴室リモコン３側の使用者に伝えることができる。
【００６３】
マイク３２６は、浴室リモコン３に配設され、音声変調部３２４と接続されている。マイク３２６は、浴室リモコン３側の使用者が発声した音声を音声変調部３２４に出力する。
【００６４】
音声変調部３２４は、浴室リモコン３のマイク３２６に向けて使用者が発声した音声に対応する音声信号で上側帯域Ｆ３２Ｂの音声信号搬送波Ｃ３を変調した音声通信信号を音声フィルタ３２２に出力する。
【００６５】
次に、実施の形態１における給湯機Ｂの通信処理動作について図４を用いて説明する。なおここでは、浴室リモコン３の優先指示部３３７が入力され、浴室リモコン３が台所リモコン２より優先された状態であるとし、浴室リモコン３が主導的に給湯機Ｂの通信処理動作を行うとして以下に説明する。
【００６６】
ステップＳ１０１では、浴室リモコン３の制御部３３６は、周波数Ｆ１の第１搬送波Ｃ１を用いた通信信号を、給湯機本体１と台所リモコン２に送信する。浴室リモコン３は、給湯機本体１と台所リモコン２に対して低速通信（第１搬送波Ｃ１による通信）を行い、給湯機本体１と台所リモコン２とが高速通信（第２搬送波Ｃ２による通信）に対応しているかを確認する。
【００６７】
詳しくは、浴室リモコン３の制御部３３６は、搬送波切り替え部３３３に対して周波数Ｆ１の第１搬送波Ｃ１を選択するよう指示し、低速通信となる設定を行う。制御部３３６は、選択指示した第１搬送波Ｃ１を、この制御部３３６が生成した情報信号で変調するよう通信変調部３３２を制御する。通信変調部３３２からの通信信号が、低速用フィルタ３１２を通過してフィルタ切り替え部３１１へと送られる。そして、フィルタ切り替え部３１１がその通信信号を、通信線Ｌ１を介して給湯機本体１と台所リモコン２とに送信する。
【００６８】
給湯機本体１では、通信線Ｌ１を介して送られた通信信号をフィルタ切り替え部１１１にて受信する。給湯機本体１の初期設定では、給湯機本体１のフィルタ切り替え部１１１は低速用フィルタ１１２に通信信号を送信するよう設定されている。給湯機本体１の低速用フィルタ１１２を通過した通信信号が通信復調部１３１により復調され、通信信号から復元された元の情報信号が給湯機本体１の制御部１３６に伝達される。
【００６９】
そして、給湯機本体１の制御部１３６は、給湯機本体１が高速通信に対応しているか否かの回答である応答信号を生成し、通信変調部１３２に出力する。給湯機本体１の制御部１３６は、搬送波切り替え部１３３にて周波数Ｆ１の第１搬送波Ｃ１を選択するように設定し、通信変調部１３２を用いて第１搬送波Ｃ１による低速通信の応答信号を生成する。低速通信の応答信号が低速用フィルタ１１２を通過し、フィルタ切り替え部１１１から通信線Ｌ１を介して浴室リモコン３に応答返信される。
【００７０】
浴室リモコン３は、上記の給湯機本体１と同様に、台所リモコン２にも通信信号を送信し、台所リモコン２からの応答信号を受信する。この応答信号は、台所リモコン２が高速通信に対応しているか否かの回答である。
【００７１】
ステップＳ１０２では、浴室リモコン３の制御部３３６が、給湯機本体１と台所リモコン２からの応答信号に基づいて、その両方が高速通信に対応しているか否かを判定する。詳しくは、給湯機本体１と台所リモコン２からの応答信号が、給湯機本体１と台所リモコン２の両方が高速通信に対応しているという返答でなければ、ＮＯとしてステップＳ１０３にて低速通信を継続する。その後、ステップＳ１１４にて給湯機本体１の電源がＯＦＦになったかどうかを判定し、ＯＮのままであればステップＳ１０３に戻り、低速通信を継続する。給湯機本体１の電源がＯＦＦとなると本処理を終了する。
【００７２】
ステップＳ１０２において、給湯機本体１と台所リモコン２が高速通信に対応していれば、浴室リモコン３の制御部３３６は、ＹＥＳとしてステップＳ１０４へ進み、次回の通信から高速通信を行うとの指示を給湯機本体１と台所リモコン２に低速通信で送信する。
【００７３】
ステップＳ１０５では、給湯機本体１の制御部１３６は、浴室リモコン３からの高速通信を行うとの指示の受信に基づき、浴室リモコン３に応答信号を低速通信で送信し、フィルタ切り替え部１１１と搬送波切り替え部１３３とを周波数Ｆ２の第２搬送波Ｃ２に切り替え、高速通信に対応させる。
【００７４】
また、台所リモコン２の制御部２３６は、浴室リモコン３からの高速通信を行うとの指示の受信に基づき、浴室リモコン３に応答信号を低速通信で送信し、フィルタ切り替え部２１１と搬送波切り替え部２３３とを周波数Ｆ２の第２搬送波Ｃ２に切り替えるとともに、音声通信切り替え部２２１での音声通信を不可に切り替え、高速通信に対応させる。
【００７５】
そして、浴室リモコン３の制御部３３６は、給湯機本体１と台所リモコン２からの応答信号を通信復調部３３１により復調し、給湯機本体１と台所リモコン２とが高速通信に移行するとの応答に基づいて、フィルタ切り替え部３１１と搬送波切り替え部３３３とを周波数Ｆ２の第２搬送波Ｃ２に切り替えるとともに、音声通信切り替え部３２１での音声通信を不可に切り替え、高速通信に対応させる。
【００７６】
そして、ステップＳ１０６では、給湯機本体１と、台所リモコン２，浴室リモコン３との間で第２搬送波Ｃ２によるデータ通信、つまり高速通信を開始する。
【００７７】
ステップＳ１０７では、浴室リモコン３の制御部３３６は、高速通信時において音声通信指示部３３４がＯＮ状態か否かを判定する。音声通信指示部３３４がＯＮになるまでは、ステップＳ１０８に進む。
【００７８】
ステップＳ１０８では、給湯機本体１、台所リモコン、２浴室リモコン３が高速通信を行ってそれぞれの機器の設定要求や状態取得を行い、高速通信を継続し、ステップＳ１１５に進む。
【００７９】
ステップＳ１１５では、浴室リモコン３の制御部３３６は、給湯機本体１の電源がＯＦＦとなったかどうかを確認する。給湯機本体１の電源がＯＮのままであれば、ステップＳ１０７に戻る。給湯機本体１の電源がＯＦＦとなると、本処理を終了する。
【００８０】
ステップＳ１０７において、浴室リモコン３の制御部３３６は、音声通信指示部３３４がＯＮとなればＹＥＳとなり、ステップＳ１０９へ進む。
【００８１】
ステップＳ１０９では、浴室リモコン３の制御部３３６は、給湯機本体１、台所リモコン２に対して、低速通信への移行を指示する。つまり、周波数Ｆ２の第２搬送波Ｃ２から周波数Ｆ１の第１搬送波Ｃ１に切り替えることを示す、第２搬送波Ｃ２による通信信号を、給湯機本体１と台所リモコン２に送信する。
【００８２】
給湯機本体１では、通信線Ｌ１を介して受信した第２搬送波Ｃ２による通信信号が通信復調部１３１により復調される。給湯機本体１の制御部１３６は、通信信号から復元された元の情報信号（第１搬送波Ｃ１への切り替えを指示する内容）に基づいて、給湯機本体１が低速通信への移行することを示す応答信号を生成し、この応答信号をフィルタ切り替え部１１１から通信線Ｌ１を介して浴室リモコン３に送信させる。制御部１３６は、この応答信号の送信後に、搬送波切り替え部１３３を周波数Ｆ２の第２搬送波Ｃ２から周波数Ｆ１の第１搬送波Ｃ１に切り替えるよう制御する。
【００８３】
台所リモコン２でも、通信線Ｌ１を介して受信した第２搬送波Ｃ２による通信信号が通信復調部２３１により復調される。台所リモコン２の制御部２３６は、通信信号から復元された元の情報信号（第１搬送波Ｃ１への切り替えを指示する内容）に基づいて、台所リモコン２が低速通信への移行することを示す応答信号を生成し、この応答信号をフィルタ切り替え部２１１から通信線Ｌ１を介して浴室リモコン３に送信させる。制御部２３６は、この応答信号の送信後に、搬送波切り替え部２３３を周波数Ｆ２の第２搬送波Ｃ２から周波数Ｆ１の第１搬送波Ｃ１に切り替えるとともに、音声通信切り替え部２２１を音声通信可能に切り替えるよう制御する。
【００８４】
ステップＳ１１０では、給湯機本体１と、台所リモコン２，浴室リモコン３との間で第１搬送波Ｃ１によるデータ通信、つまり低速通信を開始する。その後のステップＳ１１１では、浴室リモコン３と台所リモコン２間で音声通信が開始される。
【００８５】
例えば、浴室リモコン３のマイク３２６に向かって使用者が言葉を喋ると、音声変調部３２４は、マイク３２６に入力された音声に対応する音声信号を上側帯域Ｆ３２Ｂの音声信号搬送波Ｃ３に乗せた音声通信信号を生成し、音声フィルタ３２２へ出力する。音声フィルタ３２２を通過した音声通信信号が音声通信切り替え部３２１から通信線Ｌ１を介して台所リモコン２の音声通信切り替え部２２１に送信される。
【００８６】
台所リモコン２の音声通信切り替え部２２１は、受信した音声通信信号を音声フィルタ２２２に出力し、音声フィルタ２２２を通過した音声通信信号が音声復調部２２３により復調される。音声復調部２２３は、音声通信信号から元の音声信号を復元し、台所リモコン２のスピーカ２２５から音声が出力され、台所リモコン２側の使用者に届けられる。
【００８７】
台所リモコン２からの音声も浴室リモコン３へ伝達される。詳しくは、台所リモコン２のマイク２２６に向かって使用者が言葉を喋ると、音声変調部２２４は、マイク２２６に入力された音声に対応する音声信号を、混信防止のために上側帯域Ｆ３２Ｂの音声信号搬送波Ｃ３とは異なる下側帯域Ｆ２３Ｂの音声信号搬送波Ｃ３に乗せた音声通信信号を生成し、音声フィルタ２２２へ出力する。音声フィルタ２２２を通過した音声通信信号が音声通信切り替え部２２１から通信線Ｌ１を介して浴室リモコン３の音声通信切り替え部３２１に送信される。
【００８８】
浴室リモコン３の音声通信切り替え部３２１は、受信した音声通信信号を音声フィルタ３２２に出力し、音声フィルタ３２２を通過した音声通信信号が音声復調部３２３により復調される。音声復調部３２３は、音声通信信号から元の音声信号を復元し、浴室リモコン３のスピーカ３２５から音声が出力され、浴室リモコン３側の使用者に届けられる。
【００８９】
ステップＳ１１２では、使用者の操作によって浴室リモコン３の音声通信指示部３３４がＯＦＦとなったかどうかを浴室リモコン３の制御部３３６が判定し、ＯＮのままであればステップＳ１１２に戻り、ステップＳ１１２がＹＥＳとなるまで音声通話可能状態が続く。音声通信指示部３３４のスイッチがＯＮである限り、浴室リモコン３と台所リモコン２間で通話し続けることができる。その間、給湯機本体１、台所リモコン２、浴室リモコン３の間の通信信号は全て低速通信にて送信される。つまり、第１搬送波Ｃ１によるデータ通信が継続される。
【００９０】
使用者の操作によって音声通信指示部３３４がＯＦＦとなることで、ステップＳ１１２の判定がＹＥＳとなると、ステップＳ１１３に移行して音声通信が終了する。台所リモコン２と浴室リモコン３の音声通信切り替え部２２１，３２１が切り替わり、各々音声通信信号を通さない設定となる。その後、ステップＳ１０４に戻り、上述したステップＳ１０４での高速通信の指示が行われる。
【００９１】
以上説明したように、本発明の実施の形態１に係る給湯機Ｂは、給湯機本体１と、通信線Ｌ１を介して給湯機本体１を遠隔操作する台所リモコン２，浴室リモコン３とを備える給湯機であって、台所リモコン２，浴室リモコン３間において所定の周波数帯域の音声信号搬送波Ｃ３による音声通信を行う音声送受信部２２，３２と、給湯機本体１と台所リモコン２，浴室リモコン３との間において搬送波によりデータ通信を行う通信送受信部１１，２１，３１と、データ通信に用いる搬送波を、音声信号搬送波Ｃ３の周波数帯域から離れた周波数Ｆ１の第１搬送波Ｃ１と、音声信号搬送波Ｃ３の周波数帯域に近い周波数Ｆ２の第２搬送波Ｃ２と、に相互に切り替え可能な搬送波切り替え部１３３，２３３，３３３と、音声送受信部２２，３２による音声通信の開始と終了の指示を受ける音声通信指示部２３４，３３４と、音声通信指示部２３４，３３４で終了検出されてから開始検出されるまでの音声通信無し期間（音声通信を行わない期間）では給湯機本体１と台所リモコン２，浴室リモコン３との間で第２搬送波Ｃ２によるデータ通信を行い、音声通信指示部２３４，３３４で開始検出されてから終了検出されるまでの音声通信有り期間（音声通信を行う期間）では、給湯機本体１と台所リモコン２，浴室リモコン３との間におけるデータ通信を第２搬送波Ｃ２から第１搬送波Ｃ１に切り替えて行うとともに、台所リモコン２，浴室リモコン３間において音声信号搬送波Ｃ３による音声通信を行うように制御する信号制御部１３，２３，３３と、を備える。
【００９２】
この実施の形態１の給湯機Ｂによれば、図５（ａ）に示す音声通信無し期間（音声通信を行わない期間）では、第２搬送波Ｃ２によるデータ通信のみが行われる。また、図５（ｂ）に示す音声通信有り期間（音声通信を行う期間）では、音声信号搬送波Ｃ３による音声通信と、音声信号搬送波Ｃ３に近い第２搬送波Ｃ２から切り替えた第１搬送波Ｃ１によるデータ通信とが行われる。つまり、音声通信有り期間では、第２搬送波Ｃ２から第１搬送波Ｃ１に自動的に切り替えられ、互いに周波数が重ならない第１搬送波Ｃ１と音声信号搬送波Ｃ３とが同時に通信線Ｌ１に乗る。言い換えれば、互いに周波数が重なり得る第２搬送波Ｃ２と音声信号搬送波Ｃ３とが同時に通信線Ｌ１に乗ることがないので、両搬送波の周波数が重なることで給湯機本体１との通信信号に悪影響が生じたり、リモートコントローラ間での送受話の音質が劣化したりする問題を防止できる。したがって、給湯機Ｂの初期設定やリモコンを交換・追加する際に、音声信号搬送波Ｃ３の実際の周波数を計測したり、計測した音声信号搬送波Ｃ３の実際の周波数帯域外に第２搬送波Ｃ２を再設定したりすることを不要にできる。よって、給湯機Ｂの初期設定やリモコンを交換・追加する際に手間がかからない。
【００９３】
また、通常、給湯機Ｂの使用者が音声通話を行う時間は、給湯機Ｂの稼働時間全体から考えて極めて短い時間であることから、この時間に関しては通信速度をあきらめて低速で通信を行い、それ以外の時間に関しては高速で通信を行う事で、条件付きながらも通信速度の要求仕様を満たすことができる。
【００９４】
また、第２搬送波は、第１搬送波Ｃ１よりも高い周波数としているので、音声通信無し期間におけるデータ通信を、第１搬送波Ｃ１よりも高速なデータ通信とすることができる。また、音声通信無し期間では、第２搬送波Ｃ２によるデータ通信のみを行うので、第２搬送波Ｃ２と音声信号搬送波Ｃ３の周波数が重なることが無く、第２搬送波Ｃ２による高速データ通信を安定して行うことができる。
【００９５】
また、実施の形態１では、音声信号搬送波Ｃ３の周波数帯域（下側帯域Ｆ２３Ｂと上側帯域Ｆ３２Ｂを含む）は、第１搬送波Ｃ１の周波数Ｆ１の３倍程度としているので、音声通信信号の周波数が低速の通信信号の周波数よりも十分大きくしており、音声通信信号と低速の通信信号が干渉して相互に影響を及ぼして音声信号の劣化や通信信号が不安定になることを防ぐことができる。なお、Ｆ２３Ｂ，Ｆ３２Ｂ≧Ｆ１×３としてもよい。
【００９６】
（実施の形態２）
続いて、本発明の実施の形態２に係る給湯機Ｂについて説明する。なお、以下の説明において、実施の形態１と共通する構成要素等については、同一の符号を付す。
【００９７】
実施の形態２に係る給湯機Ｂは、図６に示すように、台所リモコン２，浴室リモコン３以外の増設リモコン４が通信線Ｌ１に接続されている。増設リモコン４は、室内の給湯先である洗面所に配設されている。増設リモコン４は、台所リモコン２，浴室リモコン３と同様の構成である。
【００９８】
各リモコン２，３，４の音声送受信部２２，３２，４２は、音声信号搬送波Ｃ３の下側帯域Ｆ２３Ｂ、上側帯域Ｆ３２Ｂと、下側帯域Ｆ２４Ｂ、上側帯域Ｆ４２Ｂと、下側帯域Ｆ３４Ｂ、上側帯域Ｆ４３Ｂがリモコン２，３，４毎に異なり且つ通話方向毎にも異なるように設定している。
【００９９】
図７に示すように、台所リモコン２から増設リモコン４への音声通信信号についての音声信号搬送波Ｃ３の下側帯域Ｆ２４Ｂは、上側帯域Ｆ３２Ｂよりも周波数が高く、増設リモコン４から台所リモコン２への音声通信信号についての音声信号搬送波Ｃ３の上側帯域Ｆ４２Ｂは、下側帯域Ｆ２４Ｂよりも周波数が高い。浴室リモコン３から増設リモコン４への音声通信信号についての音声信号搬送波Ｃ３の下側帯域Ｆ３４Ｂは、上側帯域Ｆ４２Ｂよりも周波数が高く、増設リモコン４から浴室リモコン３への音声通信信号についての音声信号搬送波Ｃ３の上側帯域Ｆ４３Ｂは、下側帯域Ｆ３４Ｂよりも周波数が高い。
【０１００】
以上説明したように、本発明の実施の形態２に係る給湯機Ｂによれば、音声信号搬送波Ｃ３の各帯域Ｆ２３Ｂ，Ｆ３２Ｂ，Ｆ２４Ｂ，Ｆ４２Ｂ，Ｆ３４Ｂ，Ｆ４３Ｂがリモコン２，３，４毎に異なり且つ通話方向毎にも異なるので、リモコン２，３，４間で同時に音声通信を行うことができる。
【０１０１】
（実施の形態３）
続いて、本発明の実施の形態３に係る給湯機Ｂについて説明する。なお、以下の説明において、実施の形態２と共通する構成要素等については、同一の符号を付す。
【０１０２】
実施の形態３に係る給湯機Ｂの台所リモコン２と浴室リモコン３と増設リモコン４は、図８に示すように、通話先のリモコンを指定する通話先指示部２３８，３３８，４３８を各々備えている。台所リモコン２の音声送受信部２２と浴室リモコン３の音声送受信部３２と増設リモコン４の音声送受信部４２は、これらのリモコン２，３，４のうちで指定元のリモコンと、通話先指示部により指定された指定先のリモコンとの間で音声通信を行う。
【０１０３】
以上説明したように、本発明の実施の形態３に係る給湯機Ｂによれば、各リモコン２，３，４は通話先のリモコンを指定する通話先指示部２３８，３３８，４３８を備え、各音声送受信部２２，３２，４２は、指定元のリモコンと通話先指示部により指定された指定先のリモコンとの間で音声通信を行う。これにより、使用者が指定元のリモコン２，３，４の通話先指示部２３８，３３８，４３８の何れかに指示入力することにより、通話先のリモコンを指定でき、指定元と指定先のリモコン間のみで音声通信を行うことができる。
【０１０４】
（実施の形態４）
続いて、本発明の実施の形態４に係る給湯機Ｂについて説明する。なお、以下の説明において、実施の形態１と共通する構成要素等については、同一の符号を付す。
【０１０５】
実施の形態４の給湯機Ｂの台所リモコン２、浴室リモコン３は、実施の形態１〜３での音声通信指示部２３４，３３４に換えて、図９に示すように、音声を検知する音声検知部２３９，３３９を備える。音声検知部２３９，３３９は、予め設定した基準値以上の音声レベルを検出した場合に音声通信の開始として検知し、その後の所定期間（例えば、２０秒間）において基準値以上の音声レベルが検出されない場合に音声通信の終了として検知するものである。信号制御部１３，２３，３３は、音声検知部２３９，３３９の音声検知に基づいて、第１搬送波Ｃ１に切り替えるように搬送波切り替え部１３３，２３３，３３３を制御し、第１搬送波Ｃ１によるデータ通信と音声信号搬送波Ｃ３による音声通信を行うように制御する。
【０１０６】
以上説明したように、本発明の実施の形態４に係る給湯機Ｂによれば、信号制御部１３，２３，３３は、音声検知部２３９，３３９の音声検知に基づいて、第２搬送波Ｃ２から第１搬送波Ｃ１に切り替えるので、音声入力で音声通信を開始できる。
【０１０７】
なお、音声検知部２３９，３３９として、音声内容を自動的に認識する機能を持たせたものを採用してもよい。
【０１０８】
（実施の形態５）
続いて、本発明の実施の形態５に係る給湯機Ｂについて説明する。なお、以下の説明において、実施の形態１〜４と共通する構成要素等については、同一の符号を付す。
【０１０９】
実施の形態５の給湯機Ｂは、図１０に示すように、給湯機本体１とは別に、給湯タンクやサブ給湯器などの追加給湯機器１Ａを増設している。給湯機本体１と追加給湯機器１Ａとは、通信線Ｌ１とは別の専用線Ｌ２で接続されている。なお、追加給湯機器１Ａを複数個増設してもよい。
【０１１０】
実施の形態５の給湯機Ｂによれば、給湯機本体１と追加給湯機器１Ａとは、通信線Ｌ１とは別の専用線Ｌ２を用いて給湯機本体間のデータ通信を行うので、台所リモコン２と浴室リモコン３間の音声通信信号が、給湯機本体１と追加給湯機器１Ａ間のデータ通信信号の干渉を受けないようにすることができ、追加給湯機器１Ａを増設しても音声通信を明瞭に行うことができる。また、追加給湯機器１Ａが給湯タンクである場合には、沸かすことのできる湯量を増加することができる。また、追加給湯機器１Ａがサブ給湯器の場合には、給湯機本体１以外のサブ給湯器でも湯を沸かすことができるので、湯を沸かす時間を短縮できる。
【０１１１】
また、給湯機本体１と追加給湯機器１Ａとを専用線Ｌ２ではなく、通信線Ｌ１で接続するようにしてもよい。この場合には、追加給湯機器１Ａが通信線Ｌ１に追加して接続されているので、給湯機本体１と追加給湯機器１Ａの一方が故障しても残りの給湯機本体１又は追加給湯機器１Ａがそれを補うことができ、システムの冗長化を図ることができる。
【０１１２】
なお、本発明は、上記各実施の形態に限定されず、本発明の要旨を逸脱しない範囲での種々の変更は勿論可能である。
【０１１３】
給湯機本体１の通信変調部１３２、台所リモコン２の通信変調部２３２、浴室リモコン３の通信変調部３３２は、振幅変調以外のアナログ変調（例えば位相変調）、デジタル変調（例えば振幅変移変調、位相変移変調）、パルス変調（例えばパルス振幅変調）の何れの方式により、通信搬送波（第１搬送波Ｃ１、第２搬送波Ｃ２）を変調するようにしてもよい。
【０１１４】
また、台所リモコン２の音声変調部２２４、浴室リモコン３の音声変調部３２４は、周波数変調以外に、例えばデジタル変調（例えば周波数変移変調）方式で音声信号搬送波Ｃ３を変調するようにしてもよい。
【０１１５】
各実施の形態では、給湯機本体１と台所リモコン２，浴室リモコン３間のデータ通信や台所リモコン２，浴室リモコン３間の音声通信を、通信線Ｌ１を介して行っているが、電力線を介して行うようにしてもよい。また、通信線Ｌ１や電力線などの有線によりデータ通信と音声通信とを行う以外に、無線通信で行うようにしてもよい。
【０１１６】
また、給湯機本体１と台所リモコン２と浴室リモコン３などで構成される給湯機Ｂを、無線又は有線にてホームネットワークと通信可能に接続してもよい。これにより、ホームネットワークに給湯機Ｂを組み入れることができ、リモコン２，３を操作することなく給湯機Ｂの操作を行うことができる。
【０１１７】
また、給湯機Ｂが電源投入された初期状態では、各リモコン２，３，４のうち一のリモコン（例えば浴室リモコン３）が優先状態になるように設定し、かかる優先状態のリモコンが主導的にデータ通信を行うようにしてもよい。
【０１１８】
各実施の形態では、第２搬送波Ｃ２の周波数Ｆ２は、音声信号搬送波Ｃ３の下側帯域Ｆ２３Ｂ、上側Ｆ３２Ｂに近い周波数としているが、音声信号搬送波Ｃ３の下側帯域又は上側帯域内の周波数としてもよい。
【０１１９】
各実施の形態や変形例において、第１搬送波Ｃ１を、旧機種の給湯機本体のデータ通信の搬送波と同一の周波数としてもよい。これにより、台所リモコン２，浴室リモコン３と旧機種の給湯機本体との間で第１搬送波Ｃ１によるデータ通信を行うことができ、旧機種の給湯機本体との互換性を維持することができる。
【０１２０】
各実施の形態では、音声通信指示部２３４，３３４は、使用者から音声通信の終了指示を受けているが、制御部２３６，３３６は、マイク２２６，３２６に所定期間（例えば２０秒間）にわたって音声入力が無い場合に音声通信の終了と判断するようにしてもよい。
【０１２１】
各実施の形態では、周波数Ｆ２の第２搬送波Ｃ２は、音声信号搬送波Ｃ３の下側帯域と上側帯域に近いとしているが、第２搬送波Ｃ２は、音声信号搬送波Ｃ３の下側帯域又は上側帯域内であってもよい。
【符号の説明】
【０１２２】
１  給湯機本体、１Ａ  追加給湯機器、２  台所リモコン（第１リモートコントローラ）、３  浴室リモコン（第２リモートコントローラ）、４  増設リモコン（増設リモートコントローラ）、１１，２１，３１  通信送受信部（データ通信手段）、２２，３２，４２  音声送受信部（音声通信手段）、１３３，２３３，３３３  搬送波切り替え部、２３４，３３４  音声通信指示部、１３，２３，３３  信号制御部（制御手段）、２３８，３３８，４３８  通話先指示部、２３９，３３９  音声検知部、Ｌ１  通信線（伝送路）、Ｌ２  専用線
【図１】
2015070440.tif 000003
【図２】
2015070440.tif 000004
【図３】
2015070440.tif 000005
【図４】
2015070440.tif 000006
【図５】
2015070440.tif 000007
【図６】
2015070440.tif 000008
【図７】
2015070440.tif 000009
【図８】
2015070440.tif 000010
【図９】
2015070440.tif 000011
【図１０】
2015070440.tif 000012